(57)【要約】  一実施形態において、本発明は、メディアとの関連で表示するための関連コンテンツを選択するための方法および装置である。一次メディア、および一次メディアと時間同期される二次メディアを含むメディアとの関連で表示するための関連コンテンツを選択するための方法の一実施形態は、メディアに関連付けられているメタデータの１つまたは複数の項目を取り出すことと、メタデータに基づいて関連コンテンツの少なくとも１つの項目を選択することと、メディアの表示に実質的に同時に関連コンテンツを表示することとを含む。
2011519080.tif 000002
【特許請求の範囲】
【請求項１】
一次メディア、および前記一次メディアと時間同期される二次メディアを含むメディアとの関連で表示するための関連コンテンツを選択するための方法であって、
前記メディアの少なくとも一部分に関連付けられているメタデータの１つまたは複数の項目を取り出す処理と、
メタデータの前記１つまたは複数の項目に基づいて関連コンテンツの少なくとも１つの項目を選択する処理と、
前記メディアの表示と実質的に同時に関連コンテンツの前記少なくとも１つの項目を表示する処理と
を含む方法。
【請求項２】
前記表示することが前記選択する処理を実行する同じコンピュータ上で実行される請求項１に記載の方法。
【請求項３】
前記表示することが、
前記メディアへのリンクおよび前記関連コンテンツへのリンクを含むマークアップ文書を生成する処理と、
表示のためにリモート・コンピュータに前記マークアップ文書を提供する処理と
を含む請求項１に記載の方法。
【請求項４】
関連コンテンツの前記少なくとも１つの項目が、テキスト、画像、動画、映像、マルチメディア・プレゼンテーション、インターネット機能、および広告のうちの少なくとも１つである請求項１に記載の方法。
【請求項５】
関連コンテンツの前記少なくとも１つの項目が関連コンテンツのライブラリから選択される請求項１に記載の方法。
【請求項６】
前記ライブラリがメタデータの前記１つまたは複数の項目を記述するために使用される１つまたは複数の用語によってインデックス付けされる請求項５に記載の方法。
【請求項７】
前記選択する処理が、
第１の用語がメタデータの前記１つまたは複数の項目のうちの少なくとも１つを記述するために使用される第２の用語に一致する場合、関連コンテンツの前記少なくとも１つの項目を前記第１の用語によってインデックス付けされる関連コンテンツの項目として識別する処理
から成る請求項６に記載の方法。
【請求項８】
前記選択することが、
関連コンテンツの前記少なくとも１つの項目をメタデータの前記１つまたは複数の項目にオントロジによって関連付けられる関連コンテンツの項目として識別する処理
から成る請求項１に記載の方法。
【請求項９】
メタデータの前記少なくとも１つの項目が、前記メディアの前記少なくとも一部分の少なくとも１つの特徴を記述する記述的メタデータの項目と、前記メディアの前記少なくとも一部分が表示される期間を指定するタイミング・メタデータの項目と、１つまたは複数の統一資源識別子を含むリンキング・メタデータの項目と、識別子メタデータの項目と、前記メディアが表示されるメディア・プレーヤの操作を制御するために使用されるプレーヤ制御メタデータの項目とのうちの少なくとも１つを含む請求項１に記載の方法。
【請求項１０】
メタデータの前記１つまたは複数の項目が前記メディアの前記少なくとも一部分への関連性の度合いに従って加重される請求項１に記載の方法。
【請求項１１】
前記選択することが、
前記メディアおよび前記関連コンテンツが表示されるユーザについての情報を考慮に入れる処理
をさらに含む請求項１に記載の方法。
【請求項１２】
前記選択する処理が、
関連コンテンツの前記少なくとも１つの項目の以前の閲覧に対するユーザの応答に関する情報を考慮に入れる処理
をさらに含む請求項１に記載の方法。
【請求項１３】
メタデータの前記１つまたは複数の項目が、ユーザによって提供されたメタデータと、前記メディアの前記少なくとも一部分の分析と、リンキング・メタデータの１つまたは複数のターゲットの分析とのうちの少なくとも１つから導出される請求項１に記載の方法。
【請求項１４】
一次メディア、および前記一次メディアと時間同期される二次メディアを含むメディアとの関連で表示するための関連コンテンツを選択するための実行可能プログラムを含むコンピュータ可読記憶媒体であって、前記プログラムが、
前記メディアの少なくとも一部分に関連付けられているメタデータの１つまたは複数の項目を取り出すステップと、
メタデータの前記１つまたは複数の項目に基づいて関連コンテンツの少なくとも１つの項目を選択するステップと、
前記メディアの表示と実質的に同時に関連コンテンツの前記少なくとも１つの項目を表示するステップと
を実行するコンピュータ可読記憶媒体。
【請求項１５】
前記表示することが前記選択することを実行する同じコンピュータ上で実行される請求項１４に記載のコンピュータ可読記憶媒体。
【請求項１６】
前記表示するステップが、
前記メディアへのリンクおよび前記関連コンテンツへのリンクを含むマークアップ文書を生成する処理と、
表示のためにリモート・コンピュータに前記マークアップ文書を提供する処理と
から成る請求項１４に記載のコンピュータ可読記憶媒体。
【請求項１７】
関連コンテンツの前記少なくとも１つの項目が、テキスト、画像、動画、映像、マルチメディア・プレゼンテーション、インターネット機能、および広告のうちの少なくとも１つである請求項１４に記載のコンピュータ可読記憶媒体。
【請求項１８】
関連コンテンツの前記少なくとも１つの項目が関連コンテンツのライブラリから選択される請求項１４に記載のコンピュータ可読記憶媒体。
【請求項１９】
前記ライブラリがメタデータの前記１つまたは複数の項目を記述するために使用される１つまたは複数の用語によってインデックス付けされる請求項１８に記載のコンピュータ可読記憶媒体。
【請求項２０】
前記選択するステップが、
第１の用語がメタデータの前記１つまたは複数の項目のうちの少なくとも１つを記述するために使用される第２の用語に一致する場合、関連コンテンツの前記少なくとも１つの項目を前記第１の用語によってインデックス付けされる関連コンテンツの項目として識別する処理
から成る請求項１９に記載のコンピュータ可読記憶媒体。
【請求項２１】
前記選択するステップが、
関連コンテンツの前記少なくとも１つの項目をメタデータの前記１つまたは複数の項目にオントロジによって関連付けられる関連コンテンツの項目として識別する処理
から成る  請求項１４に記載のコンピュータ可読記憶媒体。
【請求項２２】
メタデータの前記少なくとも１つの項目が、前記メディアの前記少なくとも一部分の少なくとも１つの特徴を記述する記述的メタデータの項目と、前記メディアの前記少なくとも一部分が表示される期間を指定するタイミング・メタデータの項目と、１つまたは複数の統一資源識別子を含むリンキング・メタデータの項目と、識別子メタデータの項目と、前記メディアが表示されるメディア・プレーヤの操作を制御するために使用されるプレーヤ制御メタデータの項目とのうちの少なくとも１つを含む請求項１４に記載のコンピュータ可読記憶媒体。
【請求項２３】
メタデータの前記１つまたは複数の項目が前記メディアの前記少なくとも一部分への関連性の度合いに従って加重される請求項１４に記載のコンピュータ可読記憶媒体。
【請求項２４】
前記選択するステップが、
前記メディアおよび前記関連コンテンツが表示されるユーザについての情報を考慮に入れる処理
から成る請求項１４に記載のコンピュータ可読記憶媒体。
【請求項２５】
前記選択する処理が、
関連コンテンツの前記少なくとも１つの項目の以前の閲覧に対するユーザの応答に関する情報を考慮に入れること
から成る請求項１４に記載のコンピュータ可読記憶媒体。
【請求項２６】
メタデータの前記１つまたは複数の項目が、ユーザによって提供されたメタデータと、前記メディアの前記少なくとも一部分の分析と、リンキング・メタデータの１つまたは複数のターゲットの分析とのうちの少なくとも１つから導出される請求項１４に記載のコンピュータ可読記憶媒体。
【請求項２７】
一次メディア、および前記一次メディアと時間同期される二次メディアを含むメディアとの関連で表示するための関連コンテンツを選択するためのシステムであって、
前記メディアの少なくとも一部分に関連付けられているメタデータの１つまたは複数の項目を取り出すための手段と、
メタデータの前記１つまたは複数の項目に基づいて関連コンテンツの少なくとも１つの項目を選択するための手段と、
前記メディアの表示と実質的に同時に関連コンテンツの前記少なくとも１つの項目を表示するための手段と
を備えるシステム。
【発明の詳細な説明】
【技術分野】
【０００１】
本発明は、一般にメディアの配布の分野に関し、より詳細には、メディアとの関連で関連コンテンツを選択し、表示することに関する。
【背景技術】
【０００２】
本出願は、その全体が参照により本明細書に組み込まれる、２００８年３月２６日出願の米国特許仮出願第６１／０３９，７８７号、２００８年５月２０日出願の米国特許仮出願第６１／０５４，６３６号、および２００８年７月８日出願の米国特許仮出願第６１／０７９，０１３号の利益を主張する。
【０００３】
多くの状況において、例えば、コンテンツ・クリエータが提供する映像と同じＷＷＷ（「Ｗｅｂ」）ページに広告コンテンツを表示するときなど、実質的にメディアとの関連で関連コンテンツを表示することが有利である。この文脈において、重要な目的は、広告コンテンツによって消費者が広告製品を購入せずにはいられない気持ちになる可能性を高めることである。したがって、関連する広告は広告主が望む挙動をユーザから引き出す可能性が高いため、Ｗｅｂページに表示されるメディア（例えば、コンテンツ・クリエータが提供する映像）を閲覧するユーザに最も「関連する」広告コンテンツを（使用可能な広告コンテンツのライブラリから）選択することが有利である。
【０００４】
関連コンテンツを選択し、表示するための従来の方法は、メディアが「何」についてのものであるか（すなわち内容）に焦点を当てている。例えば、いくつかの方法では、選択はキーワードの抽出（すなわち、広告が提示されるべきＷｅｂページに表示されるテキストから１組の単語を抽出すること）に基づく。これによって、メディアが映像であるとき、選択タスクが特に難しくなる。というのは、映像は、テキストではなく画像（およびしばしば音声）を含んでおり、したがってこうした従来の方法の使用では容易に検索できないからである。したがって、現在使用されているこうした素朴な方法では、最低限の効果しかなく、例えば、抽出したテキストである「ＳＵＶ」に対する照合を行うことによって、スポーツ用多目的車（ＳＵＶ）の広告と、ＳＵＶがどのように地球温暖化に貢献するかを説明する映像とが一緒に表示されてしまい、結果として広告の配置が不適当になり得る。
【０００５】
さらに、「一般的な」内容は「特定の」内容の様々な範囲を網羅することができ、一般的な内容を十分に対象としている広告コンテンツは特定の内容に無関係である場合があるという事実のため、単にメディアの一般的な内容（およびそれ自体は確実に決定することが難しい場合がある）を知ることは、最低限しか役立たない場合がある。例えば、映像が「スノーボーディング」に関係することを知ることは、関連の広告コンテンツを選択し、表示することに関していくらか役立つかもしれないが、有名なスノーボーダーが新しいスノーボードのデモンストレーションを行うことを含むメディアと特定のスキー・リゾートでのスノーボード関連の設備を表示するメディアとの間で選択を区別できれば、はるかに役立つ。ユーザに対する特定の「関連性」のこの決定を行うのは難しい。
【先行技術文献】
【特許文献】
【０００６】
【特許文献１】米国特許仮出願第６１／０３９，７８７号
【特許文献２】米国特許仮出願第６１／０５４，６３６号
【特許文献３】米国特許仮出願第６１／０７９，０１３号
【特許文献４】米国特許出願第１１／６９４，８３６号
【特許文献５】米国特許第７，０３１，５５３号
【特許文献６】米国特許第７，３３３，６７６号
【発明の概要】
【課題を解決するための手段】
【０００７】
一実施形態において、本発明は、メディアとの関連で表示するための関連コンテンツを選択するための方法および装置である。一次メディア、および一次メディアと時間同期される二次メディアを含むメディアとの関連で表示するための関連コンテンツを選択するための方法の一実施形態は、メディアに関連付けられているメタデータの１つまたは複数の項目を取り出すことと、メタデータに基づいて関連コンテンツの少なくとも１つの項目を選択することと、メディアの表示と実質的に同時に関連コンテンツを表示することとを含む。
【図面の簡単な説明】
【０００８】
本発明の教示は、以下の詳細な説明を添付の図面と併せ読めば、容易に理解できる。
【図１】一次メディア、オプションの二次メディア、関連コンテンツの１つまたは複数の項目、ならびに一次メディアのタイトルおよび作者、ユーザのコメント、評価など他の情報を含む表示の実施形態例を示す図である。
【図２】複数の別個の部分から成るメディア例を示す図である。
【図３】本発明による、一次メディアとの関連で関連コンテンツを選択し、表示するための方法の一実施形態を示すフロー図である。
【図４】本発明による、記述的メタデータ（ｄｅｓｃｒｉｐｔｉｖｅ  ｍｅｔａｄａｔａ）をメディアに関連付けるための方法の一実施形態を示すフロー図である。
【図５】簡単なオントロジ例を示す図である。
【図６】汎用コンピューティング装置を使用して実施される関連コンテンツ選択方法の高レベル・ブロック図である。
【０００９】
理解しやすくするために、可能な場合、図に共通の同一の要素を示すために同一の参照番号が使用されている。
【発明を実施するための形態】
【００１０】
図１は、一次メディア１１０、オプションの二次メディア１２０、関連コンテンツの１つまたは複数の項目１３０１〜１３０ｎ（以下まとめて「関連コンテンツの項目１３０」）、ならびに一次メディア１１０のタイトルおよび作者、ユーザのコメント、評価など他の情報１４０を含む表示１００の実施形態例を示す。本発明の１つの目的は、使用可能な関連コンテンツ（例えば広告コンテンツ）の選択から、最適な二次メディア１２０を伴い得る一次メディア１１０との関連で、関連コンテンツ１３０のどの項目が最も有利に表示されるかを決定することである。図１の例を使用して本発明を使用できる配置シナリオについて、以下で詳述する。
【００１１】
一態様において、本発明の実施形態は、コンテンツ・クリエータが（まとめて「メディア」と呼ばれるものを形成するために）二次メディアを一次メディアに関連付けるとき、二次メディアの一次メディアに対する関連性が示されるという事実を活用する（本明細書で使用する場合、「コンテンツ・クリエータ」は、必ずしもメディアの作者ではなく、メディアを提供する、および／または一次メディアと二次メディアとの間の関連付けを作成する人である）。関連性のコンテンツ・クリエータの指示は、二次メディアに関連する追加の情報（「関連コンテンツ」、例えば広告）を識別するために使用することができる。したがって、一態様において、本発明は、従来の自動的な方法を使用して可能であるものより大きいレベルの関連性を達成するために、コンテンツの作成への人の介入を活用する。これは、二次メディアの特徴（例えば内容）が一次メディアの特徴より比較的よく知られている、または知られ得るときに特に役立つ。さらに、本発明の実施形態は、コンテンツ・クリエータが関連付けを行うことによって作成した「関連性係数」のコンテンツ・クリエータの意識的な認識に関係なく、この結果を有効に達成する。別の実施形態において、本発明は、二次メディアとの関連性が確立された後でさえ、一次メディアについての情報を引き続き検査する。
【００１２】
一実施形態において、表示１００の例における一次メディア１１０は、映像である。一実施形態において、一次メディア１１０は、複数の構成要素から成り、すべてが共通の形式のメディア（例えば、すべての構成要素は、映像のフレーム、音声ストリームの時間領域、スライドショーのスライドなどである）であるか、２つ以上の形式のメディア（例えば、静止画像構成要素の中に映像構成要素が点在しているマルチメディア・プレゼンテーション、音声サウンドトラック構成要素を有す映像構成要素など）である。別の実施形態において、一次メディア１１０は、単一の構成要素（例えば、単一の写真画像）のみを含む。
【００１３】
一次メディア１１０の構成要素は、例えば、予め設定された順序（例えば、構成要素Ｂは常に構成要素Ａの後に続く）に従って、ランダムな順序で、全部または一部指示された選択プロセスで決定される順序（例えば、一次メディア１１０の各ユーザは、好ましい構成要素の表示順序を選択することができる）で、または構成要素の指定された特徴を参照して自動プロセスによって決定される順序（例えば、以前のユーザによってより好ましいと評価された構成要素は、後のユーザに対してより早い順位で表示される）でなど、いくつかの順序タイプで表示される。
【００１４】
いくつかの実施形態において、図１に示されるものなど、一次メディア１１０は、関連の二次メディア１２０を有する。二次メディア１２０は、時間同期画像、字幕、地図、インターネット機能などを提供することによって、例えば一次メディア１１０の閲覧経験を強化することができる補足的なコンテンツの１つまたは複数の項目を含む。二次メディアを作成し、それを一次メディアに関連付ける様々な手法の追加の説明については、その全体が参照により本明細書に組み込まれる、Ｍｃｌｎｔｉｒｅらによる２００７年３月３０日に出願された同時係属の同一出願人による米国特許出願第１１／６９４，８３６号明細書（「Ｍｃｌｎｔｉｒｅアプリケーション」）に記載されている。Ｍｃｌｎｔｉｒｅアプリケーションの図１９Ａ〜１９Ｄは、例えば、二次メディアを一次メディアに関連付けることができる様々な可能な方法を示す。一実施形態において、二次メディア１２０は、静的メディア（例えば、画像、字幕など）、動的メディア（例えば、映像、動画、対話型コンピュータ・アプリケーションなど）、または静的メディアと動的メディアとの組合せなど、補足的なコンテンツの１つまたは複数の項目を含む。二次メディア１２０内の補足的なコンテンツの項目は、例えば、予め設定された順序に従って、ランダムな順序で、コンテンツ・クリエータによって指示された選択プロセスで決定された順序で、または二次メディアの項目の指定された特徴を参照して自動プロセスによって決定される順序でなど、いくつかの順序タイプで表示することができる。
【００１５】
二次メディア１２０は、図１に、一次メディア１１０に隣接し、その下に配置されるものとして示されている。しかし、二次メディア１２０は、一次メディア１１０に対して任意の数の空間位置に表示することができる。一次メディア１１０に対する二次メディア１２０の代替の配置には、例えば、重複関係（例えば、二次メディア１２０が一次メディア１１０の映像構成要素の上に表示される字幕として表示される）、または独立関係（例えば、二次メディア１２０が一次メディア１１０に実質的に隣接して表示される、または一次メディア１１０が表示されるＷｅｂページ以外のＷｅｂページなど、二次メディア１２０がまったく異なる場所に表示される）などがある。
【００１６】
いくつかの実施形態において、一次メディア１１０の表示および二次メディア１２０の表示は、同期される。例えば、任意ベースで、または指定された特徴を参照して自動プロセスによって決定される（例えば、以前のユーザから好ましいユーザ応答を引き出した二次メディア１２０の構成要素が後のユーザに対して時間的により早い順位で表示される）ように、二次メディア１２０に含まれる補足的なコンテンツの項目を、一次メディア１１０に対して特定の時に表示するように時間同期する（例えば、一次メディア１１０の様々な構成要素の表示順序にかかわらず、一次メディア１１０が最初の２分間表示された後、二次メディア１２０における補足的なコンテンツ項目Ａが開始して、３０秒間表示される）、一次メディア１１０の構成要素と時間同期することができる（例えば、二次メディア１２０における補足的なコンテンツ項目Ａが、一次メディア１１０の構成要素Ｚが表示される最初の１２秒後に１０秒間表示される）。
【００１７】
一実施形態において、一次メディア１１０、二次メディア１２０、および関連コンテンツ１３０のうちの少なくとも１つは、対話型アプリケーションなどのインターネット機能を含む。例えば、インターネット機能は、投票機構（例えば、「ここをクリックして、この映像を１０段階評価する」）、または共有アプリケーションもしくはデータ（例えば、「ここをクリックして、この壁紙または呼び出し音を電話にダウンロードする」）を含み得る。この場合、メディア（および場合によっては関連コンテンツ）は、この追加の機能をサポートする「ランディング・ページ」にさらに関連付けられる。例えば、投票の例では、ランディング・ページを、ユーザの票を集め、集約し、表示するように構成し、壁紙／呼び出し音の例では、ランディング・ページを、ユーザの携帯電話番号および壁紙または呼び出し音の特定の例の選択を受け付けるように構成することができる。
【００１８】
関連のランディング・ページまたは「バックエンド」との対話を可能にするためのコードを、コンテンツ・クリエータがメディアをアップロードする（または一次／二次メディアの関連付けを作成する）時点でコンテンツ・クリエータに提示することができる。コンテンツ・クリエータが探している機能のタイプ（例えば投票）に応じて、コンテンツ・クリエータに、いくつかの可能な実施オプション（例えば、投票結果を円グラフで表示するか、棒グラフとして表示するか？）を提示することができる。コンテンツ・クリエータがこの機能をカスタマイズすると、これらの選択は、メディア／関連コンテンツの組合せに最終的に組み込まれるコードおよびバックエンドを同時に形成する。
【００１９】
さらに、このバックエンドは、期間が経つにつれて発展し得る。例えば、人口統計情報が特定のメディアのユーザ（またはメディアおよび関連コンテンツの組合せ）から集められる場合、人口統計情報を使用して、自動的な更新をバックエンドに送信することができる。一例として、ユーザが主として１３歳未満の女性であることを人口統計データが示す場合、バックエンドは、インターネット機能のカラー・スキームを変更することができる（例えば、棒グラフの棒をピンクの陰に変更する）。
【００２０】
一実施形態において、一次メディア１１０（またはその個々の構成要素）および二次メディア１２０（またはその補足的なコンテンツの項目）はそれぞれ、関連のメタデータを有する。例えば、図２に示されるように、メディア２１０の例（一次メディアまたは二次メディアとすることができる）は、複数の別個の部分２１５１〜２１５ｎ（以下、まとめて「部分２１５」と呼ぶ）から成る（この場合、部分２１５は、例えば、一次メディアの構成要素、または二次メディアの補足的なコンテンツの項目とすることができる）。メディア２１０の各部分２１５は、複数のタイプのメタデータ２２０１〜２２０ｎの例（以下、まとめて「メタデータ２２０」と呼ぶ）に関連付けられる。図２に示される実施形態において、５つのタイプのメタデータ２２０は、メディア２１０の別個の部分２１５、記述的メタデータ２２０１、タイミング・メタデータ２２０２、リンキング・メタデータ２２０３、識別子メタデータ２２０４、およびプレーヤ制御メタデータ２２０ｎに関連付けられているものとして示されている。
【００２１】
記述的メタデータ２２０１は、例えば、部分２１５によって運ばれる内容など、メディア２１０の所与の部分２１５の特徴を記述する。図２に示される例において、実質的な記述的メタデータ２２０１は、メディア２１０の最初の３つの部分２１５１〜２１５３および最後の部分２１５ｎに関連付けられ、第４の部分２１５４には関連付けられていない。いくつかの実施形態において、記述的メタデータ２２０１は、制約された語彙から取得される用語に従って分類され、こうした制約された語彙の用語は、関連コンテンツのライブラリにインデックスを付けるためにも使用される。このようにして同義語の問題を回避し、したがって、例えば「ｌｏｖｅ」の記述的メタデータ用語、および「ａｍｏｕｒ」の記述的メタデータ用語は、単一の記述的メタデータ用語「ｒｏｍａｎｃｅ」に統一される。
【００２２】
別の実施形態において、記述的メタデータ用語は、オントロジのインスタンスおよびクラスと考えられる。オントロジは、クラス（オブジェクトの抽象的なグループ、セット、または集合）、およびインスタンス（特定の車などの具体的なオブジェクト、ならびに数字、単語、およびテーマなどの抽象的なオブジェクト）である可能なメタデータ用語の普遍集合を提供する。インスタンスは、クラスのメンバー（例えば、「ブランドＸの四輪駆動のトラック」は、クラス「トラック」のインスタンス）である。一実施形態において、クラスは、グラフに配列され、少なくとも「ｉｓ−ａ」関係を提供する（すなわち、インスタンスはクラスのメンバー「であり」（ｉｓ−ａ）、クラスはスーパークラスのメンバー「である」（ｉｓ−ａ））。「ｉｓ−ａ」関係は、階層型分類を作成する。オントロジにおける各オブジェクト（クラスまたはインスタンス）は、それに関連付けられている１つまたは複数の属性を有する。例えば、クラス「ビジネス」は、「位置」の属性を有し得る。いくつかのオントロジベースの実施形態において、オブジェクト（またはオブジェクトのクラス）がどのように結合して複合オブジェクトを形成するかを表す、時として部分全体関係（ｍｅｒｏｎｙｍｙ  ｒｅｌａｔｉｏｎｓｈｉｐ）として知られる「ｐａｒｔ−ｏｆ」関係もクラス間（またはインスタンスとクラスとの間）に提供される。例えば、インスタンス「Ｊｅｌｌｙ」および「Ｐｅａｎｕｔ  Ｂｕｔｔｅｒ」はいずれも、「Ｐｅａｎｕｔ  Ｂｕｔｔｅｒ  ａｎｄ  Ｊｅｌｌｙ  Ｓａｎｄｗｉｃｈ」の「一部」（ｐａｒｔ−ｏｆ）である。オントロジ構造によって、「ｉｓ−ａ」関係および「ｐａｒｔ−ｏｆ」関係の下で複数の親ノードが可能になり、インスタンスおよびクラスの非循環有向グラフを作成することができる。図５は、例えば、簡単なオントロジ例５００を示す図である。オントロジ５００は、ウィンター・スポーツに関連する特定のインスタンスおよびクラスを、オブジェクト間の「ｉｓ−ａ」関係と共に示す。
【００２３】
図２のメディア２１０例を再度参照すると、タイミング・メタデータ２２０２は、（こうしたタイミング・パラメータが、例えば一次メディアの「一時停止」、「早送り」、「巻き戻し」、「停止」、または「再開」を行うことによって、ユーザによって変更されたり、以下で説明するように、プレーヤ制御メタデータ２２０ｎによってオーバーライドされたりしない限り）メディア２１０の各部分２１５を表示すべき期間を指定する。いくつかの実施形態において、タイミング・メタデータ２２０２は、メディア２１０自体（またはその部分２１５）（例えば、１秒当たりいくつかのフレームのレートで表示されるメディア）において暗黙的であり、メタデータ２２０の別個の項目を構成しない。
【００２４】
リンキング・メタデータ２２０３は、１つまたは複数の統一資源識別子（ＵＲＩ）を含む。例えば、本のデータベースにアクセスするためのＵＲＩは、Ｗｅｂの統一資源位置指定子（ＵＲＬ）、国際標準図書番号（ＩＳＢＮ）、および国際規格一連番号（ＩＳＳＮ）を含み、視聴覚の作品のデータベースにアクセスするためのＵＲＩは、国際標準視聴覚番号（ＩＳＡＮ）、国際標準音楽作品コード（ＩＳＷＣ）、国際標準楽譜番号（ＩＳＭＮ）、国際標準レコーディング・コード（ＩＳＲＣ）、および国際標準テキスト・コード（ＩＳＴＣ）を含み、製品のデータベースにアクセスするためのＵＲＩは、国際取引商品番号（ＧＴＩＮ）または共通商品コード（ＵＰＣ）を含む。図２に示される例において、リンキング・メタデータ２２０３は、メディア２１０の第１の部分２１５１、第３の部分２１５３、および第４の部分２１５４に関連付けられ、第２の部分２１５２または最後の部分２１５ｎに関連付けられていない。リンキング・メタデータ２２０３は、例えばさらなる情報を提供する、または商取引を行う機会を提供する外部のＷｅｂサイトをアドレス指定することができる。
【００２５】
一実施形態において、メディア２１０の各部分２１５は、それに関連付けられている識別子メタデータ２２０４の項目を有する。いくつかの実施形態において、メディア２１０全体は、メディア２１０の個々の部分２１５に関連付けられている識別子メタデータ２２０４の項目に加えて、またはその代わりに、識別子メタデータ２２０４の単一の項目に関連付けられている。２つのメディア（例えば、一次メディアと二次メディア）が互いに関連付けられている場合、識別子メタデータ２２０４の追加の項目を、結合されたメディアに関連付けることができる。例えば、識別子メタデータの項目ＰＭａを含む一次メディアが、識別子メタデータの項目ＳＭａ、ＳＭｂ、およびＳＭｃを備える３つの部分から成る二次メディアに関連付けられている場合、識別子メタデータの項目Ａａ，ａ、Ａａ，ｂ、およびＡａ，ｃは、一次メディアと二次メディアの３つの部分との関連付けを表すことができる。二次メディアが全体として識別子メタデータの項目ＳＭａｂｃに関連付けられているとしたら、識別子メタデータの項目Ａａ，ａｂｃは、全体として一次メディアと二次メディアとの関連付けに割り当てることができることになる。このようにして、個々のメディア、メディアの関連付け、またはメディアの一部分をアドレス指定する（例えば、そのＵＲＩを提供する）ことが可能である。例えば、識別子メタデータの項目ＰＭａに関連付けられている一次メディアは、「ｈｔｔｐ：／／ｓｉｔｅｎａｍｅ／ｇｅｔｍｅｄｉａ．ｐｈｐ？ｉｄ＝ＰＭａ」のＷｅｂ  ＵＲＬによってアクセスすることができる。識別子メタデータの割り当てられた項目ＰＭａを有し、識別子メタデータの割り当てられた項目ＳＭａｂｃを有する二次メディアに関連付けられている一次メディアは、「ｈｔｔｐ：／／ｓｉｔｅｎａｍｅ／ｇｅｔｍｅｄｉａ．ｐｈｐ？ｐｒｉｍａｒｙ＝ＰＭａ，ｓｅｃｏｎｄａｒｙ＝ＳＭａｂｃ」のＷｅｂ  ＵＲＬによって、または一次メディアと二次メディアとの間の関連付けの識別子メタデータの項目（例えばｈｔｔｐ：／／ｓｉｔｅｎａｍｅ／ｇｅｔｍｅｄｉａ．ｐｈｐ？ａｓｓｏｃ＝Ａａ，ａｂｃ）を使用することによってアクセスすることができる。
【００２６】
メディアの部分についての識別子メタデータの項目は、メディア内の領域を定義するため、識別子メタデータの項目を使用して、メディアの定義された部分にちょうどアクセスする、またはメディアの自然な先頭以外のあるポイントでメディアの表示を開始することができる。例えば、一次メディアＡが３つの部分Ｘ、Ｙ、およびＺから成る二次メディアＢに関連付けられている場合、「ｈｔｔｐ：／／ｓｉｔｅｎａｍｅ／ｇｅｔｍｅｄｉａ．ｐｈｐ？ａｓｓｏｃ＝Ａａ，ｘｙｚ，ｓｔａｒｔ＝Ｙ」の「開始」ＵＲＬを使用することによって、二次メディア構成要素Ｙとの関連付けが開始するときに、一次メディアＡを取り出し、一次メディアＡの再生を開始することができる。さらに、例えば、「領域」ＵＲＬ「ｈｔｔｐ：／／ｓｉｔｅｎａｍｅ／ｇｅｔｍｅｄｉａ．ｐｈｐ？ａｓｓｏｃ＝Ａａ，ｘｙｚ，ｒｅｇｉｏｎ＝Ｙ」を使用することによって、一次メディアＡの表示を、二次メディアＢの構成要素Ｙが関連付けられている一次メディアＡのその部分のみに制限することができる。メディアを表示するためのツールのいくつかの実施形態において、要求に応じて記述されるものなど、開始ＵＲＬまたは領域ＵＲＬを生成するファシリティが提供される。例えば、ユーザがＵＲＬの生成を要求したメディア内の位置で開始するように合図され、ＵＲＬの取り出しによってメディアが表示されるように、ユーザは、Ｗｅｂページまたはブログにおけるリンクとして使用することができる、または他のユーザに電子メールによって送信することができる開始ＵＲＬを要求することができる（例えば、メディアが再生中、または一時停止のとき）。他の実施形態において、このＵＲＬ生成ツールは、さらに、または代わりに、プレーヤ制御メタデータを生成して、以下で詳述するように使用することもできる。
【００２７】
一実施形態において、メディア２１０の各部分２１５は、メディアを表示するために使用されるメディア・プレーヤの操作を指示する、プレーヤ制御メタデータ２２０ｎの項目にも関連付けられる。一実施形態において、プレーヤ制御メタデータ２２０ｎは、二次音声プログラム（ＳＡＰ）（メディア２１０のＳＡＰトラックを使用するようプレーヤに指示する）、ＭＵＴＥ（音声をオフするようプレーヤに指示する）、およびＧＯ（メタデータを識別することによって、または時間によって表されるメディア２１０の位置を要求するようプレーヤに指示する）を含む。別の実施形態において、プレーヤ制御メタデータ２２０ｎは、二次メディアを再生するよう（例えば、第１の一次メディアの表示がいったん終了すると、第２の一次メディアを表示するよう）メディア・プレーヤに指示する。一次メディアが二次メディアに関連付られている場合、二次メディアは、（例えば、一次メディアの識別子またはタイミング情報を参照することによって）メディア・プレーヤが一次メディアをどのように表示すべきかを指示するメディア・プレーヤによって解釈することができるプレーヤ制御メタデータ２２０ｎを含み得る。例えば、関連の二次メディアは、メディア・プレーヤによって一次メディアの一部分のみが表示される、一次メディアの部分が順序外の特定の順序で表示される、またはその先頭以外の位置で一次メディアが開始するように、メディア・プレーヤによって解釈されるプレーヤ制御メタデータ２２０ｎを含むことができる。
【００２８】
メタデータ２２０は、図４を参照して詳述するように、様々な方法で取得することができる。また、まず、コンテンツの提供を助けるために、メディアに関連付られているメタデータに基づいて関連コンテンツを選択するための方法を、図３との関連で説明する。
【００２９】
図３は、本発明による、一次メディアとの関連で関連コンテンツを選択し、表示するための方法３００の一実施形態を示すフロー図である。方法３００は、ステップ３０５で開始し、ステップ３１０に進み、ユーザから一次メディアを表示する旨の要求（例えば、映像を見る旨の要求）が受信される。
【００３０】
ステップ３１５で、方法３００は、関連コンテンツの組が一次メディアのためにすでに格納されているかどうかを判定する。様々な実施形態において、方法３００は、表示より前に、または表示時に要求あり次第実行され、メディアおよび関連コンテンツを表示するコンピュータにおいて、リモート・コンピュータにおいて、または２つの組合せにおいて実行される。関連コンテンツの選択が予め実行されている実施形態において（すなわち、メディアおよび格納されているその結果について、以下で詳述するステップ３２０および３３０は、以前実行されている）、方法３００は、ステップ３１５からステップ３４０に移り、表示するためのメディアおよび関連コンテンツを提供する。いくつかの実施形態において、閲覧中のユーザの特徴（例えば、人口統計データ、コンピュータのタイプ、および場所）または映像をホストしているＷｅｂページに依存する任意の計算が閲覧時間まで延期されるという、部分的な事前実行を使用することができる。
【００３１】
関連コンテンツの選択が事前に行われていない場合、方法３００は、ステップ３１５からステップ３２０に進み、要求された一次メディア、任意の関連の二次メディア（まとめて「メディア」）、およびメディアまたはその構成要素に前もって関連付けられているメタデータを取り出す。一実施形態において、メタデータは、加重され（すなわち、メディアに対する「関連性」の度合いを表す値が割り当てられている）、以下で詳述するように、ステップ３３０で使用される。一実施形態において、ステップ３１０において受信された要求は、一次メディアの一部のみを再生する（例えば、上述したように領域ＵＲＬ）、または一次メディアの先頭以外の時に表示を開始する（例えば、上述したように開始ＵＲＬ）旨の命令を含む場合、関連の二次メディア、およびメディア（またはその構成要素）に前もって関連付けられているメタデータは、（例えば、要求された領域内、または要求された開始時間後）表示される一次メタデータの部分についてのみ取り出される。
【００３２】
いくつかの実施形態において、ステップ３２０は、複数のメディアを取り出し、この場合、複数のメディア（例えば、ブログに書き込まれる１組のメディア）との関連で表示される関連コンテンツを決定するタスクが方法３００に課される。ステップ３２０は、メディアの組にわたってメタデータを統一し、ステップ３３０は、単一の統一されたメタデータの組に基づいて続行することができる。他の実施形態において、ステップ３３０は、メディアごとに単独で実行され、次いでそれぞれの関連コンテンツ間で選択を行うために選択プロセスが使用される。選択プロセスは、選択された関連コンテンツの最も高い加重または最も高い人気に基づく関連コンテンツ、最も最近書き込まれたメディアに関連する関連コンテンツ、最も人気のメディアに関連する関連コンテンツなどを選択することができる。いくつかの実施形態において、選択プロセスは、メディアごとに関連コンテンツを選択し、対応する関連コンテンツは、メディアのうちの１つの閲覧中のユーザの選択（例えば、メディアを再生する）に応答して表示される。
【００３３】
ステップ３３０において、方法３００は、関連コンテンツのライブラリから、メディアとの関連で表示されるべき関連コンテンツの少なくとも１つの項目を選択する。関連コンテンツは、テキスト、画像、動画、映像、マルチメディア・プレゼンテーション、および広告のコピーを含む、任意の形のコンテンツとすることができる。関連コンテンツは、複合文書（例えば、Ｗｅｂサイトへのリンクと結合される広告の画像など、いくつかの副構成要素を含むＨＴＭＬファイル）とすることもできる。
【００３４】
一実施形態において、関連コンテンツのライブラリは、メタデータを記述するために使用される同じ用語によってインデックスが付けられる。こうした実施形態において、関連コンテンツの項目は、メタデータの項目（例えば、ステップ３２０で受信された関連のメタデータの加重が最高の（最も関連性のある）項目）を使用することによって、ライブラリから直接選択される。
【００３５】
いくつかの実施形態において、ライブラリがメタデータによってインデックス付けされている関連コンテンツの複数の項目を含む場合、ステップ３３０は、特定の人口統計データ、挙動、関連コンテンツを選択するときのユーザについての情報の他の形式を使用する。ユーザについての情報は、（例えばステップ３１０に従って）一次メディアの表示の要求の一部としてユーザから取得された情報、ユーザの以前の対話に関連して格納された情報（例えば、表示についての以前の要求、または他の関連コンテンツとの以前の対話）、ユーザの人口統計情報を取得するように設計されたユーザ・プロファイルから取得された情報（例えば、年齢、性別、場所、家族、収入）、およびコンテンツの選好を含むことができる。別の実施形態において、ユーザの「仮想」の場所についての情報が関連コンテンツの選択で考慮される。例えば、メディアが表示される、ユーザによって閲覧されているＷｅｂサイトは、（例えば、ニュー・ジャージーとハイキングではなく、カリフォルニアとスキーに関する情報を表示するＷｅｂページなど）表示すべき関連コンテンツの選択に役立つ情報をもたらし得る。
【００３６】
ステップ３３０でユーザ情報を検討することによって、方法３００は、特定の人口統計データ、場所などの適合性によってタグ付けされる関連コンテンツの項目間で選択できるようになる。例えば、関連コンテンツの特定の項目は、カリフォルニアのみに配布されるようにタグ付けすることができ（例えば、カリフォルニア州のみに支店を有するストアについての広告）、したがってニュー・ジャージーに居住するユーザに対する表示には適切ではないことになる。関連コンテンツのこの項目の選択または拒否は、したがって、ユーザの場所を考慮に入れることによってより効果的にすることができる。別の例として、ユーザが子供であることがわかっている場合、（例えばおもちゃに関する情報など）子供に適するとしてタグ付けされている関連コンテンツの第１の項目、または（高級スポーツ・カーの購入の機会に関する情報など）純粋に大人の内容としてタグ付けされている関連コンテンツの第２の項目の間での選択を行うとき、その年齢（または１８歳未満／１８歳以上の二値）を考慮に入れることができる。同様に、所与のユーザの以前の閲覧履歴が、「ヨーロピアン・フットボール」に関する高比率の一次メディアを含むことがわかっている場合、この情報は、「アメリカン・フットボール」の題材を含む関連コンテンツの第１の項目と、「サッカー」の題材を含む関連コンテンツの第２の項目との間で選択を行うために使用することができる。
【００３７】
別の実施形態において、関連コンテンツの選択は、関連コンテンツの特定の項目に対するユーザの反応の形でのフィードバックによって影響を受ける。例えば、ステップ３３０の第１の呼び出しにおいて、第１の組の関連コンテンツが選択されたと仮定する。ステップ３３０の第２の呼び出しにおいて、第２の組の関連コンテンツが選択される。第１の組の関連コンテンツおよび第２の組の関連コンテンツとのユーザ対話（例えば、関連コンテンツの項目、または商取引の完了をクリックする）は、複数の閲覧にわたって監視され、結果が格納される。ステップ３３０の第３の呼び出しにおいて、方法３００は、ユーザ対話データを参照することによって、第１の組の関連コンテンツおよび第２の組の関連コンテンツのうちのどれが結果的により好ましいユーザ応答（例えば、より高いクリックスルー・レートまたはより有益な商取引）となるかを決定する。次いで方法３００は、ステップ３３０の第３の呼び出しにおいて、第１の組の関連コンテンツおよび第２の組の関連コンテンツのうちのどちらが結果的により好ましい応答となるかを決定する。
【００３８】
例えば、第１の組の関連コンテンツおよび第２の組の関連コンテンツをそれぞれ１００人のユーザに示すことができ、この場合、第１の組では、結果的に４０％のユーザが商取引に関与し、第２の組では、結果的に７４％のユーザが商取引に関与する。したがって、ステップ３３０での関連コンテンツのその後の選択は、商取引から収益を増加させる目的で、第２の組の関連コンテンツを選択することになる。一実施形態において、格納されたユーザ応答データは、（例えば、毎日、毎週、または毎月）定期的にパージされ、新しいユーザ応答データは、関連コンテンツの潜在的に新しい選択に基づいて集められ、格納される。代替実施形態において、格納されたユーザ応答が古くなり、したがって、選択プロセスにおいて古いデータ（例えば、ひと月以上前に集められたデータ）が考慮に入れられないようにする。いくつかの実施形態において、２つ以上の組の関連コンテンツが、その後の選択のために、このようにして競合する場合がある。他の実施形態において、ステップ４５０を参照して詳述するように、メタデータ選択プロセスで重みの割り当てに使用するために、ユーザ応答データを使用可能にすることもできる。
【００３９】
別の実施形態において、「フラグ」の形でユーザ応答データが考慮に入れられる。例えば、メディアに関連付けられている関連コンテンツに「無関係」としてフラグを立てる権限がユーザに与えられてもよい。さらに別の実施形態において、ユーザは、メディアに無関係として関連コンテンツの項目にフラグを立てるための推論を提供するよう求められる。関連コンテンツの項目がある閾値数のユーザによって「無関係」としてフラグが立てられている場合、方法３００は、メディアの将来の表示で使用するために、関連コンテンツの項目を選択しないことを選ぶことができる。
【００４０】
いくつかの実施形態において、方法３００は、関連コンテンツの選択を助けるようにオントロジに求める。例えば、スーパークラスおよびサブクラス／インスタンスの関係を検査することによって、メタデータの項目に関してより特定のおよびより一般的な関連コンテンツを決定するために、オントロジを調べることができる。例えば、メタデータ「高級財布」の項目が与えられると、特定のオントロジにおいて、より特定の関連コンテンツは、「ブランドＸの高級財布」を含み、より一般的な関連コンテンツは、「高級女性ファッション」を含み得る。特定の実施形態において、ステップ３３０は、より特定のまたはより一般的な関連コンテンツの選択に偏る。他の実施形態において、ステップ３３０は、ユーザ応答からのフィードバックを使用して、直接の、特定の、または一般的なコンテンツは、より高いユーザの興味を生成するかどうかを判定する。
【００４１】
例えば、「ブランドＸのスノーボード」および「アスリートＡ」の記述的メタデータの２つの関連の項目を有するメディアについて検討する。図５に示されるオントロジ５００を使用して、オントロジ５００は、２つのメタデータの間で共有される最小の共通クラス（すなわち「スノーボーディング」）を見つけるために「移動する」ことができる。また、メタデータは、高レベルのクラス「アクション・スポーツ」で一致する。したがって、これらの共通クラスのいずれかに関連付けられている関連コンテンツを、ステップ３３０で選択することができる。競合する選択肢の間の選択は、本明細書に記載したように、他の特徴にアピールすることによって、または低レベルの共通クラスが高レベルの共通クラスに組み込まれるより抽象的な統一概念よりメディアの内容により関連している可能性があるため、低レベルの（より特定の）共通クラスを使用することによって行うことができる。
【００４２】
いくつかの実施形態において、ステップ３３０は、メディアと同時に表示される関連コンテンツの単一の組の項目の選択を伴う。例えば、その組を構成する関連コンテンツの項目は、映像と同時にＷｅｂページに表示することができ、ユーザが異なるＷｅｂページに移動するまで、関連コンテンツのこれらの項目は、そのままである。あるいは、複数組の関連コンテンツを（例えば、異なる組の関連コンテンツがメディアの各構成要素と共に表示されるように、メディアの構成要素ごとに１組）選択することができる。複数組の関連コンテンツを作成するために、ステップ３３０は、メディアについて全体としてではなく、メディアの各部分およびその関連のメタデータについて行われる。
【００４３】
ステップ３４０で、方法３００は、（例えば、標準のＷｅｂブラウザによって表示に適した形でメディアおよび選択された関連コンテンツを組み込むＷｅｂページを提供することによって）メディアおよび選択された関連コンテンツをユーザに提供する、または、後で表示するために、メディアと関連コンテンツとの間の関連付けを格納する。方法３００のその後の呼び出しを加速するために、関連付けが格納される（キャッシュに入れられる）と共に、ユーザに提供される。
【００４４】
次いで方法３００は、ステップ３４５で終了する。
【００４５】
一実施形態において、メディアおよび関連コンテンツは、メディアおよび関連コンテンツを表示する宛先ページ（例えばＷｅｂページ）として、その後メディアおよび関連コンテンツを提供する単一のパーティによって格納される。単一のパーティの制御は、各メディアと関連コンテンツとの関連付けの事前の計算、およびメディアおよび関連コンテンツを一緒に１つのハイパーテキスト・マークアップ言語（ＨＴＭＬ）ページで直接的に提供することを可能にする。これに対して、別の実施形態において、単一のパーティの制御下にない場（例えばＷｅｂサイト、ブログ、またはソーシャル・メディア・サイト）にメディアを書き込むことができる。サードパーティで制御されるサイトに書き込まれたメディアとの関連で関連コンテンツの表示を有効にすることは、関連コンテンツをメディアに「組み込む」ことによって（例えば、Ｗｅｂページまたはそのアプリケーションが構文解析し、表示する拡張可能マークアップ言語（ＸＭＬ）オブジェクトとして共に提供される）、またはページを制御するサードパーティがページ（またはページ・テンプレート）に含むことができ、実行時に関連コンテンツによって置き換えられる小さい「リーダー・コード」（例えば、アプリケーションまたはＷｅｂサービスへのリンク）を提供することによって、容易にすることができる。
【００４６】
いくつかの実施形態において、リーダー・コードは、メディアおよび／または関連コンテンツからメタデータを読み取り、またはメディアおよび／または関連コンテンツに関するメタデータにリモートでアクセスするように構成することもできる。したがって、リーダー・コードは、いくつかの実施形態において、上述した方法３００を使用して、メタデータを使用して、広告など追加の関連コンテンツを選択（「対象に」）することができる。リーダー・コードは、同様にメタデータを使用して、（例えば、カスケード・スタイル・シート（ＣＳＳ）を選択することによって）Ｗｅｂページの他の態様をカスタマイズし、それによって字体、カラー、画像を制御し、一般に、メディアおよび関連コンテンツに一致する、またはそれらを補うようにルック・アンド・フィールをカスタマイズすることができる。したがってリーダー・コードは、Ｗｅｂサイトに書き込むことができる任意のメディアおよび関連コンテンツと対話する（例えば、任意のメディアおよび関連コンテンツに基づいて追加のコンテンツを対象とする）ように完全に準備される。リーダー・コードの広範にわたる使用は、メディアおよび関連コンテンツが表示されるほとんどの任意の場における対象化を可能にする（すなわち、メディアおよび関連コンテンツがどこに行っても、対象化を行うことができる）。これによって、メディアの貨幣化は、単にそれを集約するのではなく、浮上しつつあるニーズを有効に活用して視聴者にアクセスすることができる。言い換えれば、視聴者がコンテンツのソースに達し、そこで貨幣化するように使用されるパラダイムである。ますます、コンテンツは視聴者に近づきつつある。しかし、この種のアクセスを貨幣化することは、現在、非常に困難である。
【００４７】
したがって、方法３００のいくつかの実施形態において、メディアに関連付けられている記述的メタデータは、（関連コンテンツがユーザに関連するように）関連コンテンツの選択を駆動する。図４を参照して詳述するものなど、いくつかの実施形態において、本発明は、方法３００に対する入力として使用することができるメディアおよびその部分との関連付けのための記述的メタデータを選択するための方法を提供する。こうした実施形態は、（１）ユーザまたはコンテンツ・クリエータによって提供される記述的メタデータ（例えばタグ）、（２）メディアおよびその部分の分析の結果から導出される記述的メタデータ（内部分析）、および（３）任意の「リンキング」メタデータのターゲットの分析の結果から導出される記述的メタデータ（外部分析）の記述的メタデータの少なくとも３つの主なソースを伴う。
【００４８】
図４は、本発明による、記述的メタデータをメディアに関連付けるための方法４００の一実施形態を示すフロー図である。方法４００は、ステップ４０５で開始し、ステップ４１０に進み、（例えば、ユーザまたはコンテンツ・クリエータから）メディアが受信される。一実施形態において、メタデータの１つまたは複数の項目（例えば、記述的、リンキング、またはタイミング）は、メディアにすでに関連付けられており、この場合、ステップ４１０でメタデータの１つまたは複数の項目も受信される。
【００４９】
一実施形態において、ステップ４１０は、例えば、メタデータ用語を入力することによって、または（例えばドロップダウン・メニューから選択された）制約された語彙からメタデータ用語を選択することによって、ユーザまたはコンテンツ・クリエータが記述的メタデータを直接提供する機会を提供する。一実施形態において、方法４００は、メディアの所与の部分またはメディアを全体として記述する「タグ」の形でメタデータを提供するようユーザまたはコンテンツ・クリエータを促す。
【００５０】
オプションのステップ４２０（点線で示される）で、方法４００は、ステップ４１０で受信したメディアを分析して、特に二次メディアの選択など、コンテンツ作成プロセスを助けることができるメディアとの関連付けのための記述的メタデータを識別する。一実施形態において、記述的メタデータは、例えば、（例えばヒマワリの画像のクローズアップなど）メディアの一部に表示される画像のドミナント・カラーを計算して、色に関連するメタデータを導出する（例えば、黄色が一次メディア構成要素のドミナント・カラーであると決定され、したがってステップ４２０における分析が記述的メタデータ項目「黄色」を生成する）など、メディアのコンテンツの少なくとも一部から導出される（内部分析）。一実施形態において、より深いコンテンツ分析は、メディアの音声追跡に含まれる単語および句を識別するための音声認識技術のアプリケーションを伴う。音声認識技術を使用して、共通の単語および句をなくすことができ、メディアの少なくとも一部のコンテンツを示す可能性が高い単語および句を残す。他の実施形態において、より深いコンテンツ分析は、その全体が参照により本明細書に組み込まれる、Ｍｙｅｒｓらによる米国特許第７，０３１，５５３号および米国特許第７，３３３，６７６号において教示される方法に従うなど、メディアの映像トラックまたは画像に表示される単語を識別するための光学式文字認識（ＯＣＲ）技術の使用を伴う。さらに別の実施形態において、ＯＣＲ技術は、メディアが表示されるべきＷｅｂページのテキストに適用することができ、Ｗｅｂページ上で認識されたテキストは、記述的メタデータを識別する際に使用することができる。
【００５１】
別の実施形態において、方法４００は、メディアの一部を作成するために使用された要素に関連付けられている情報から記述的メタデータを導出する。例えば、メディアの一部が音声トラックを含む画像を含む場合、画像は、写真Ｗｅｂサイトからの様々な写真の部分を合成することによって構成されている場合があり、音声トラックは、デジタル音声ファイルのデータベースから追加されている場合がある。写真Ｗｅｂサイトにおいて、各写真は、関連の記述タグを有している場合があり、デジタル音声ファイルのデータベースにおいて、各ファイルには、関連のアーティスト、アルバム、および／または曲名がある場合がある。こうした実施形態において、メディアの部分は、合成写真の記述的タグと音声トラックのアーティストおよび／または曲名との結合を含む記述的メタデータに関連付けられる。
【００５２】
例えば、メディアが（１）第１のＷｅｂサイトからの「ｂｒａｎｄＸ＿ｓｎｏｗｂｏａｒｄ」のタグを有し、メディアの画像部分の前景画像として組み込まれた第１の画像、（２）第２のＷｅｂサイトから「ｕｔａｈ＿ｓｋｉｒｅｓｏｒｔＹ」のタグを有し、メディアの画像部分の背景として組み込まれた第２の画像、および（３）第３のＷｅｂサイトから「ａｒｔｉｓｔＡ」のアーティスト名およびトラック名「ｓｏｎｇＢ」に関連付けられ、メディアの音声トラック部分として組み込まれた音声トラックを含んでいる場合、いくつかの要素のタグを含む記述的メタデータがメディアに割り当てられる（すなわち、｛ｂｒａｎｄＸ＿ｓｎｏｗｂｏａｒｄ，ｕｔａｈ＿ｓｋｉｒｅｓｏｒｔＹ，ａｒｔｉｓｔＡ，ｓｏｎｇＢ｝）。
【００５３】
オプションのステップ４３０（点線で示される）で、方法４００は、任意の提供されたリンクキング・メタデータのターゲットを分析して、記述的メタデータを識別する（外部分析）。上述したように、リンクキング・メタデータは、ポインタ（例えばＵＲＩ）を、例えばデータベースやＷｅｂページなどの外部データ・ソースに提供し、その内容がステップ４３０で分析される。メディアに関連付けられているリンクキング・メタデータからの記述的メタデータの導出は、外部データ・ソースへのリンク付けが本質的にメディアの内容に対する外部データ・ソースの何らかへの関連性を示すという推論に従う。例えば、メディアの一部が組み込まれたＷｅｂ  ＵＲＬを有しており、ユーザがその部分をクリックすると、「犬の訓練」に関するＷｅｂページがロードされる（すなわち、付帯的なデータ・ソースが「犬の訓練」に関係することがわかっている）場合、メディアのその部分は、それによって「犬の訓練」に関連するものと識別され、それに関連付けられている「犬の訓練」を参照する記述的メタデータを有することができる。次いでこれは、メディアの少なくともその部分が「犬の訓練」に関連付けられていることをユーザが迅速に識別することができる。
【００５４】
いくつかの実施形態において、リンクキング・メタデータのターゲットを分析することに加えて、ステップ４３０は、メディアへのリンクのソースの分析も含む。例えば、Ｗｅｂクローラ・データベースは、外部データ・ソース（例えばＷｅｂページ）が（例えば、上述したように、開始ＵＲＬまたは領域ＵＲＬを使用して）メディアの少なくとも一部へのＵＲＬリンクを含むことを示し得る。リンクを含むＷｅｂページは、メディアのリンクキング・メタデータに含まれる外部データ・ソースと同じようにして分析することができる。リンク付けの単語または句（例えば、ＨＴＭＬアンカー・タグ内に含まれる）は、全体としてソースの一般的なコンテンツまたはトピックに比べて、特殊な重みが与えられてもよい。いくつかの実施形態において、リンク付けの単語または句は、メディアに関連付けられている記述的メタデータに追加され、ソースＷｅｂページのＵＲＬは、メディアに関連付けられているリンクキング・メタデータに追加される。
【００５５】
外部データ・ソースは、（例えば、ＸＭＬなどマークアップ言語での特定の表現によって、または１つまたは複数のＨＴＭＬメタ・タグによって）特別にタグ付けして、記述的メタデータの組を提供することができる。こうした場合、提供された記述的メタデータの組は、メディアのリンク付けされた部分に関連付けられている記述的メタデータに追加することができる。
【００５６】
外部データ・ソースがテキスト（例えばＷｅｂページ）を含む場合、こうしたＷｅｂページの内容または他の特徴は、テキスト・ソースから単語を抽出することによって（例えば、Ｗｅｂページを「スクラップ」することによって）決定することができる。（上述した）音声またはＯＣＲによってメディア自体から情報を抽出することと同様に、用語をコンテンツの記述となる可能性が高くなる用語を残すようにするために、共通の単語を除外することができる。
【００５７】
記述的メタデータは、（例えば、Ｗｅｂディレクトリによって）外部データ・ソースのカテゴリ化にアピールすることによって導出することもできる。例えば、オープン・ディレクトリ・プロジェクト（ＯＤＰ）は、類似のトピックに関する一覧表がカテゴリおよびサブカテゴリにグループ化されるように、サイトの一覧表をまとめるために階層型オントロジ方式を使用するＷｅｂリンクのマルチリンガル・オープン・コンテンツ・ディレクトリである。こうしたディレクトリを使用して、外部データ・ソースを、付帯的なデータ・ソースが割り当てられるカテゴリ（群）を使用して特徴付けることができる。例えば、ＯＤＰが外部データ・ソース（例えば、Ｗｅｂページ）をカテゴリ「冒険旅行」およびサブカテゴリ「アフリカ」に入れた場合、外部データ・ソースは、それによってアフリカ冒険旅行に関連するものと識別され、記述的メタデータ「冒険旅行」および「アフリカ」は、メディアのリンクされた部分に関連付けられている記述的メタデータに追加される。
【００５８】
他の実施形態において、情報の他のソースは、外部データ・ソースを分類するために使用される。例えば、外部データ・ソースを検索エンジンで探すために検索者が使用する１組の最も一般的な検索用語は、通常、外部データ・ソースのコンテンツを十分特徴付ける。例えば、「ブランドＸ  スノーボード」を検索エンジンに入力した直後にＷｅｂページへの４８％の訪問者が到着し、「スノーボード機器」を入力した後、別の２７％の訪問者がＷｅｂページに到着した場合、Ｗｅｂページが「スノーボーディング」に関係すると推論され得る。
【００５９】
一実施形態において、記述的メタデータを抽出する上記の方法が、記述的メタデータの十分な（予め定められた）数の項目を生成しない場合、方法４００は、外部データ・ソースから（またはそれに）リンクされたソース、または外部データ・ソースに似たソースにアピールする。
【００６０】
外部データ・ソース（例えば最初のＷｅｂページ）が別のデータ・ソース（例えば、最初のＷｅｂページからリンクされるＷｅｂページ）にリンクする（によってリンクされる）場合、上記の方法は、別のデータ・ソースに繰り返し適用され得る。一実施形態において、データ・ソースと別のデータ・ソースとの間のリンクが多くなればなるほど、メディアに対する関係の可能性が低減されるため、予め定められた限界が繰り返しにおいて実行される。例えば、対象のＷｅｂページが、「グルメ料理」に関係することがそれぞれ知られている他のいくつかのＷｅｂページへのハイパーリンクを含む場合、対象のＷｅｂページも「グルメ料理」に関連すると推論することができる。一実施形態において、人気のあるリンクが関連性のより正確で信頼できる表示を提供すると推論して、Ｗｅｂページのすべての以前のユーザのうちの予め定められた割合以上のユーザによって「クリックされた」Ｗｅｂページに組み込まれたハイパーリンクなど、Ｗｅｂページから選択されたリンクのみを考慮に入れるように反復分析が改善される。例えば、所与のＷｅｂページは、「グルメ料理」に関する外部データ・ソースに関連付けられているハイパーリンクを比較的多く含むが、単一のハイパーリング（例えば、特に「七面鳥の料理方法」についてのＷｅｂページにつながるハイパーリンク）が不釣り合いな数のユーザによってクリックされた場合、ユーザの注目のこの集中は、特に七面鳥に関するグルメ料理の情報が最も関連する可能性があることを示唆する（すなわち、七面鳥の料理方法に関する情報を見つけることを予想するＷｅｂページへの訪問者がその期待を満たす可能性があり、したがって、情報がより多くのユーザ・クリックスルー・レートを生成する可能性がある）。
【００６１】
さらに、第２の外部データ・ソースが第１の外部データ・ソースに似ていることがわかっている場合、第１の外部データ・ソースの分析の代わりに（またはそれに加えて）記述的メタデータを識別するために、第２の外部データ・ソースにおいて分析を行うことができる。例えば、第１の外部データ・ソースが、「飛行機」に関連すると識別される第２の外部データ・ソースに似ている場合、第１の外部データ・ソースも「飛行機」に関連すると推論することができるように、ディレクトリによって同じように分類される、または別の外部データ・ソースへのリンク付けの類似のパターンを有する外部データ・ソースを使用することができる。第１の外部データ・ソースの分析が不確かである、または予測の統計的信頼レベルが比較的低い場合、より決定的なおよび／または信頼できる記述的メタデータを潜在的に明らかにするために、識別された「類似の」外部データ・ソースの広範囲にわたって類似の分析を行うことができる。
【００６２】
オプションのステップ４４０（点線で示される）で、方法４００は、集められた記述的メタデータを統一する。統一ステップは、メタデータの組の冗長度（例えば、同じ概念を反映する異なる用語）を低減し、（例えば、記述的メタデータの複数の集められた項目を含む概念を表す記述的メタデータの追加の項目を追加することによって）その組に冗長度を追加することもできる。
【００６３】
一実施形態において、オントロジを参照して記述的メタデータの１組の項目（例えば、「高血圧」、「アスピリン」および「運動」）を統合して、様々な要素のうちの１つまたは複数が共通クラス（例えば「心臓疾患」）下に包括されるかどうかを決定する。共通クラスが識別された場合、共通クラスのクラス名は、記述的メタデータの項目の組に追加する、またはそこに含まれる個々の項目の名前を置き換えることができる。
【００６４】
オプションのステップ４５０（点線で示される）で、方法４００は、メディアに関連付けられている記述的メタデータの各項目に重みを割り当てる。一実施形態において、これらの重みは、以下で詳述される手法のうちの１つまたは複数に従って割り当てられる。任意の特定の実施形態において、これらの手法のそれぞれに、加重計算において異なるウエートが与えられる。ステップ４５０がスキップされる実施形態において、記述的メタデータの各項目が等しい重みを有すると仮定される。
【００６５】
上述した方法４００のステップに従うことによって、通常、記述的メタデータの複数の項目がメディアの各部分に関連付けられる。したがって、本明細書で上述したように、関連コンテンツの選択に関して、こうした関連付けのどの要素に最も高い重要性を割り当てるべきかどうかを決定することが有用である。例えば、上記の様々な手法の適用が記述的メタデータの組｛「高血圧」、「アスピリン」、「運動」｝を生成する場合（「アスピリン」が２つの異なる手法の出力として生成される）、その組における記述的メタデータの３つの項目のうちのどれに首位が与えられるべき（すなわち、より重く「加重」すべき）かを決定することが有用である。一実施形態において、たった一度のアプローチから生成される結果に比べて、反復結果がコンテンツの信頼できるインジケータとなる可能性が高いと仮定して、複数の異なるアプローチによって生成される記述的メタデータの項目により大きい加重が与えられる。例えば、２回のアプローチ（例えば、リンク付けされた外部データ・ソースおよび音声認識をスクラップする）はそれぞれ、上記の例で「アスピリン」を識別したため、「アスピリン」は、「高血圧」および「運動」より高く加重される。
【００６６】
一実施形態において、記述的メタデータの項目は、それらが運ぶ情報のタイプに従って加重される。例えば、適切な名前に関する記述的メタデータの項目（例えば、「ブランドＸ  モードＹ  自動車」）を、一般的なカテゴリ（例えば、「スポーツ・カー」や「陸上車」）に関する記述的メタデータの項目より重く加重することができる。例えば図５に示されるオントロジ例５００など、オントロジを使用する実施形態において、各ｉｓ−ａ関係にわたって加重を低減することができる。例えば、記述的メタデータの４つの項目が生成され、そのうちの１つの項目が「アスリートＡ」であり、３つの項目が「ブランドＸ  スノーボード」のものである状況を検討する。重みは、「アスリートＡ」（重み１）および「ブランドＸ」（重み３）のようにオントロジのノードに割り当てることができる。次いでこれらの重みは、オントロジにおけるクラス階層に伝搬されるが、包括カテゴリの潜在的により低い関連性を反映するために伝搬するにつれて重みが低減される。一実施形態において、伝搬するにつれて重みが低減される係数は、オントロジ構造が導出される時点で、最初に割り当てられ、関連コンテンツとのユーザ対話（例えば、ユーザが商取引を行う）からのフィードバックを介して変更される。オントロジにおける特定のノードは、「ブースト係数」を有していてもよく、そのノードに割り当てられたまたはそのノードを介して伝搬される任意の重みにブースト係数を掛け、選択の可能性を増加させることができるようになる。
【００６７】
加重の別の例は、ユーザ閲覧アクティビティからのフィードバックを考慮に入れることを伴う。メディアが配置され、閲覧されると、（例えば二次メディアにおける補足的なコンテンツの項目など）メディアおよび／または関連コンテンツと対話する様々な機会がユーザに与えられる。こうした対話は、メディアおよび／または関連コンテンツをクリックして、より多くの情報を取り出す、または購入することを含み得る。その後のプロセスで、クリックレート、（購入のサイズおよび参照側パーティに支払われる任意の手数料を含む）購入などに関するデータを集める場合、これらのその後のプロセスは、関連付けの「成功」の目安を暗黙的に提供する。この目安は、特定の記述的メタデータをより高く加重するために使用することができる。
【００６８】
特定の実施形態において、記述的メタデータの集まりは、集まりが関連付けられるメディアの部分との集まりの関係ではなく、全体としてのメディアに対する集まりの関係に従って加重することができる。こうした加重方式は、（関連コンテンツの異なる項目がメディアの各部分と共に表示される状況に対して）その全持続時間の間、メディアと共に表示するために関連コンテンツの単一の項目が選択される状況において有利であり得る。こうした実施形態において、加重は、メディアの各部分の相対時間、メディアの部分の順序付け、メディアを部分的に閲覧する際のユーザ挙動、およびメディアの部分が商機を表すかどうかのうちの１つまたは複数を考慮に入れる。これらのシナリオは、図２のメディア２００の例の文脈で以下で詳述する。
【００６９】
一実施形態において、メディア全体について記述的メタデータが加重される場合、メディアの比較的長時間の構成要素に関連付けられている記述的メタデータの項目に優先順位が与えられる。例えば、図２に示される例において、記述的メタデータ２２０１は、各記述的メタデータ２２０１の項目に対応するタイミング・メタデータ２２０２の集約によって加重することができる。図２の例において、Ａ＝１５、Ｂ＝５、Ｃ＝２０、Ｄ＝１５の時間加重は、記述的メタデータ２２０の項目Ｃを最も高い加重にする。特定の実施形態において、メディアの短い部分（例えば、その部分が短い絶対時間、または全時間のわずかな部分を消費する場合）が計算から除外される。というのは、短い部分は、全体としてメディアのテーマ全体の定義をあまり表さない、および／またはあまり関連しない可能性があるからである。
【００７０】
メディアの部分が表示される時間の長さは、加重方式における１つの目安として使用することができるが、別の実施形態において、加重は、メディアの部分が提示される順序に基づく。この加重方式をサポートする１つの洞察は、メディアの内容全体を決定する際にメディアの「第一印象」の構成要素がより重要である可能性が高く、したがって、関連コンテンツの選択を駆動することがより有用であることである。様々な自動的な手法について以下で説明され、例えば、関連コンテンツの選択に関してメディアの最も関連のある部分が自動的に選択されるもの以外のポイントにあることをコンテンツ・クリエータが知っている場合、それらは、コンテンツ・クリエータの選択によってオーバーライドすることができる。
【００７１】
順序−加重は、メディアのその後の各部分に低減する重み係数を割り当て、したがって、より早期の記述的メタデータの関連性の重みは増加し、後のメタデータの関連性は低減する。適用された加重は、線形とすることができ、したがって、図２の例において、メディア２１０の第１の部分２１５１に一致する記述的メタデータ２２０１に重み５が割り当てられ、第２の部分２１５２に重み４、第３の部分２１５３に重み３、第４の部分２１５４に重み２、および最後の部分２１５ｎに重み１が割り当てられる。次いで、メディア２１０の各部分２１５によって表される期間に対応する加重が掛けられ、加重された時間（上記の例では、加重された時間はそれぞれ２５秒、２０秒、４５秒、１０秒、５秒）、および記述的メタデータ２２０１の時間で加重された関連性（上記の例では、時間で加重された関連性は、それぞれＡ＝５０、Ｂ＝２０、Ｃ＝５０、およびＤ＝４５）が得られる。上述した基本的な時間−関連性手法に比べて、ＡおよびＣは、ここでは等しく関連すると考えられる（Ａがより早い順序で出現するため）。連続した構成要素に対する重みのこうした線形の配列は、いくつかの実施形態において、重みの非線形配列（例えば、６４、３２、１６、８、４、２、１など、映像のより早い部分にかなり高いウエートを与える減衰する重み）によって置き換えられる。
【００７２】
タイミング・メタデータが、（例えば、図２の例のように）メディアの部分が等しくない長さのものであることを示す場合、メディアの１つまたは複数の部分を、重みの配列の前により小さいサブ部分に分割することができる。このようにして、順序−加重は、時間とより一致して減衰する。例えば、図２の例において、中央部分（すなわち、部分２１５３）は、３つの５秒のサブ部分に分割することができ、サブ部分のそれぞれは、同じメタデータに関連付けられる。次いで７、６、５、４、３、２、および１の順序付け−加重を適用することができ、その結果、Ａ＝７０、Ｂ＝３０、Ｃ＝６５、およびＤ＝６０のサブ部分−順序−加重の関連性がもたらされ、（上述した時間−加重手法下でＣが最も関連性が高い、および順序−加重手法下でＡおよびＣが等しいのと比べて）Ａが最も高い関連性となる。
【００７３】
いくつかの実施形態において、加重は、ユーザ挙動をさらに考慮に入れる。例えば、メディアの早め、中間、または遅めの部分のみを閲覧することがユーザに観察された場合、加重は、それに応じて最も閲覧されるメディアの部分により高い重みを割り当てるように調整することができる。例えば、メディアの最後がユーザ・コミュニティにより興味深いものであることがわかった場合（例えば、最後の２分に特定の映像の「おもしろい部分」が表示される）、逆順−加重を使用することができる。中央セクションでは、鐘形曲線状の手法は、それに応じて、メディアの早めまたは遅めの部分より高くメディアの中央部分に加重することができる。さらに、ユーザ挙動は、メディアごとではなく、メディアの「クラス」ごとに考慮することができる。例えば、ユーザは、一般にスノーボーディング関連の映像を平均４０秒間閲覧するが、サーフィン関連の映像を平均８０秒間閲覧する場合、分析される特定のメディアについてユーザ挙動データが使用可能でない場合でさえ、同じクラスのメディアの閲覧の際のユーザ挙動を置き換えることができる。同様に、例えば、メディアが複数のＷｅｂサイト上に配布される場合、ユーザ挙動を「サイト」ごとに考慮することができる。第１のサイト（例えば映像配布Ｗｅｂサイト）および第２のサイト（例えば個人ブログへの書き込み）における平均的なユーザ挙動は、まったく異なる場合があり、書き込みの宛先についての情報を取得することによって、そのサイト（またはサイトのクラス）における平均挙動を考慮することができる。
【００７４】
いくつかの実施形態において、ユーザ挙動データは、ユーザが平均時間ｔの後、メディアを閲覧することを放棄したことを示す場合、時間ｔの後起こるメディアの部分に関連付けられている記述的メタデータは、関連コンテンツを選択する際に、非常に低い関連性のものである可能性がある。こうした状況において、時間ｔの後表示されるメディアの部分に関連付けられているメタデータを考慮から除くことが有用となる（すなわち、低い加重ではなくゼロでメタデータを加重する）。
【００７５】
いくつかの実施形態において、メディアの部分は、１つまたは複数のタイプのものとして識別することができ、いくつかのタイプは、他のタイプより高い加重が関連のメタデータに割り当てられる。例えば、部分の１つのタイプは、商用の項目を表し、部分の第２のタイプは、単に創造的効果のためにグラフィック画像を表す。商用の項目部分の例は、（例えば、購入の機会を提供するためにクリックされる）特定の製品についての広告を含む。創造的な部分の例は、スノーボーディングのトリックを「どのように」行うかに関する映像を含む。創造的な部分は、関連コンテンツを推論するための何らかの文脈を提供するが、（例えば広告など）商用部分が関連コンテンツの選択のために、よりよい情報を提供する可能性が高い。したがって、商用部分に関連付けられているメタデータは、創造的な部分に関連付けられているメタデータより高く加重され、結果的に、例えば商用部分に関連付けられているメタデータに２倍加重するタイプ−加重の関連性の計算をもたらし、または創造的な部分を完全に無視する（ゼロ倍の重み）ことができる。
【００７６】
加重は、コンテンツ・クリエータにより提供することもできる。例えば、コンテンツ・クリエータは、メタデータの１つの特定の項目を除いてゼロの加重を提供することができ、関連コンテンツ選択プロセスについてのはっきりした焦点を提供する。同様に、コンテンツ・クリエータは、特定の重みをメタデータの各項目、またはメディアの各部分に割り当てて、選択プロセスへのガイダンスを提供することができる（すなわち、メタデータのいくつかの項目またはメディアの部分が他のものより関連コンテンツの選択により関連している、またはあまり関連していない）。例えば、コンテンツ・クリエータに、１つまたは複数の異なる基準に従ってメディアの各部分をランク付けする（また、推論により、各部分に関連付けられているメタデータをランク付けする）ことを求めることができる（例えば、「検索エンジンによってこの映像の実質的なコンテンツの識別を容易にすることに関して、項目を最も重要から最も重要でないまでランク付けする」または「商取引を引き出すために最も可能性の高い関連した広告コンテンツを識別することに関して、項目を最も重要から最も重要でないまでランク付けする」）。
【００７７】
ステップ４６０で、方法４００のより早期のステップによって計算されるメディア（またはメディアの部分）とメタデータとの間の関連付けが格納される。関連付けは、メタデータをメディア（またはメディアの部分）に組み込むことによって、ファイルまたはデータベースに関連付けを格納することによって（ローカルまたはリモート）、またはその組合せによって表すことができる。
【００７８】
方法４００は、ステップ４６５で終了する。
【００７９】
メディアが上述した方法によっていったんメタデータの１つまたは複数の項目に関連付けられると、これによって一次メディアとの関連付けのために、二次メディアの検索、通知、および示唆の追加機能が可能になる。メタデータは、上述した選択方法に加えて、またはその代わりに、（Ｗｅｂページから抽出された単語を使用するのではなく）広告など、関連コンテンツを対象とする既存の方法と共に使用するための１組のキーワードとして適用することもできる。
【００８０】
メディアに関連付けられているメタデータは、内容によってメディアのより有効な検索を可能にするために使用することができる。例えば、ＵＲＩ分析を時間−加重分析に結合することは、メディアが「スノーボーディング」のトピックに関連することを示唆することができる。トピックを検索機能に提供することによって、検索機能は、単にユーザ供給タグおよびメディアのタイトルを使用することによって取得することができるものより関連性のある結果を戻すことができる。メタデータは、メディアをホストするＷｅｂページ内の１つまたは複数のＨＴＭＬメタ・タグにおいて、またはＷｅｂページのテキストにメタデータを含めることによって、検索エンジンによってアクセスおよびインデックス付けのために使用可能になる。さらに、メディアの部分ごとに分析を行うことができるので、こうしたＨＴＭＬメタ・タグは、時間ｔ＝３０秒から時間ｔ＝７８秒までの第１の部分の間、「スノーボーディング」がメディアのトピックである、および時間ｔ＝７９秒からｔ＝１１０秒までの第２の部分の間、「スキー」がメディアのトピックであるという情報を含み、メディアの第１および／または第２の部分への直接アクセスのために開始または領域ＵＲＬ（上述）をさらに提供することができる。
【００８１】
上述したように、関連コンテンツの選択は、一次メディアと二次メディアとの間の関係または関連性を示すメタデータに基づくことができる。しかし、関連コンテンツの選択は、二次メディアとの関係から切り離して、一次メディア自体についての情報に依存することもできる。例えば、一次メディアおよび／または二次メディアを検査することから、ユーザに、有名なスノーボーダーがスノーボードの新しいモデルをデモンストレーションしているところを示す広告が提示されることを決定することができる。この場合、表示された広告が補完的なカラー・スキームを反映するように、一次メディアの「ドミナント・カラー」を決定することも有用であり得る。
【００８２】
システムのユーザは、新しいメディアが対象の内容に対応するメタデータの１つまたは複数の項目に関連付けられているとき、通知（例えば電子メール）がユーザに送信されるように、対象の内容に一致する新しいメディアがシステムに追加されるときの通知を申し込むことができる。特定の実施形態において、通知は、ユーザ対話統計など追加の情報も伴う（例えば、少なくとも１０，０００回閲覧され、関連の関連コンテンツが５０％より大きいレートでユーザのクリックスルーを生成している「サッカー」のメタデータに関連付けられているメディアを通知する）。こうした情報は、例えば、二次メディアとして非常に有効な広告も有する特定のユーザにとっての特定の興味の内容を含む一次メディアの識別を容易にし、コンテンツ・クリエータが他の成功から学ぶことができる。同様に、コンテンツ・クリエータは、二次メディアが一次メディアの商用の可能性を最大にしていない場合についての通知を要求することができる。例えば、スケートボード関連の広告の専門家は、メディアのそのカテゴリについてのクリックスルー・データの一番下の四分の一における二次メディアまたは関連コンテンツのユーザのクリックスルーを現在生成しているスケートボード関連の映像についての通知を要求し、一次メディアをアップロードするコンテンツ・クリエータに援助を（例えば、料金または利益の分け前と引き換えに）提供することができる。
【００８３】
メディアに関連付けられているメタデータは、「示唆」ツールが一次メディアに付随するように二次メディアとして補足的なコンテンツの１つまたは複数の項目のコンテンツ・クリエータの選択を誘導できるようにするために使用することができる。例えば、一次メディアがファッションに関する映像であるとわかっている場合、示唆ツールは、補足的なコンテンツの項目の組を検索し、示唆された補足的なコンテンツとしてファッションに関連する補足的なコンテンツの項目を取り出すことができる。記述的メタデータ間の関係を記述するオントロジにアピールすることによって、示唆ツールは、例えばファイル・エクスプローラで親フォルダおよびサブフォルダをブラウズするのと同様に、より具体的なおよび／またはより具体的ではないファッションにおいて、オントロジ的に関連する補足的なコンテンツをブラウズする機能をさらに提供することができる。
【００８４】
別の例として、ファッションに関する第１の一次メディアを提供することができ、靴、財布、およびベルトに関する補足的なコンテンツを含む関連の二次メディアを有することができる。第２の一次メディアがアップロードされ、「ファッション」に関連すると識別された場合、示唆ツールは、第１の一次メディアに関連付けられている補足的なコンテンツを第２の一次メディアに関してコンテンツ・クリエータによって使用するよう示唆することができる。同様に、一次メディア内で、前の構成要素との関連付けに基づいて、後の構成要素について、補足的なコンテンツをコンテンツ・クリエータに示唆することができる。
【００８５】
追加の強化として、ユーザ対話データを使用して、作成プロセスを強化することができる。例えば、示唆された補足的なコンテンツを、（例えばユーザのクリックスルーのより高いレートを生成するなど）ユーザ対話の実行の目安に基づいてランク付けする（または「上位１０位」または提供される類似のリスト）ことができ、コンテンツ・クリエータに、この情報を反映するために、ユーザの選択を変更する可能性を通知することができる。ユーザの人口統計データを含めることもでき、したがって、コンテンツ・クリエータに、「一次メディアを含む補足的なコンテンツの次の３つの項目に一致することは、３０歳未満のユーザに提示されるとき、効果的である可能性が高い」などの情報が提供される、または（例えば、一次メディアが１８歳から２５歳の男性に最もアピールすると仮定するなど）有望な視聴者の人口統計データのコンテンツ・クリエータの仮定によって示唆された項目をフィルタするオプションが提供される。
【００８６】
自動的なアシスト機能は、強く関心をひいてやまない関連コンテンツの作成に関する追加のコンテンツ固有の情報を提供することもできる。例えば、（例えば、最も高くランク付けされた記述的メタデータを比較することによって決定されるように）「類似の」映像に関するユーザ対話データを閲覧することによって、システムは、より効果的な補足的なコンテンツを示唆することができる。例えば、システムは、「補足的なコンテンツの２０％から２５％のみが広告に関連する場合、および特徴のある項目が７ドルから１５ドルの間で価格設定されるとき、１０代によって閲覧される可能性があるこの内容を含む映像がより有効であるようだ」などの示唆を提供することができる。このタイプのデータは、多くのコンテンツ・クリエータにわたって「最適な実施」の普及を可能にし、有効な広告がさらに有効な広告の作成を誘導するためにユーザ応答のデータ・セットを作成する好循環を作り出す傾向にある。
【００８７】
本発明のいくつかの実施形態において、予め定められた／予め指定された妥当性の標準についてのメディア（またはメディア／／関連コンテンツの組合せ）を分析するための手段が提供される。例えば、所与のメディアおよび／またはその関連の関連コンテンツは、使用の用語またはメディアが書き込まれるＷｅｂサイトに適用される他の標準に違反する可能性がある。例えば、関連のコンテンツは、（例えば不正のアクティビティまたはスパムに関連するＷｅｂサイトなど）違法のまたは禁止されているコンテンツを含むＷｅｂサイトへのＵＲＬ、または閾値量より多くの商用または広告素材を含み得る。所与のメディア（またはメディア／関連コンテンツの組合せ）の組合せが所与の場において表示するのに潜在的に適していないことがわかっている場合、その場に関連付けられている個人（例えば管理者または仲裁者）に、メディア／関連コンテンツの組合せを見直すことを通知することができる。
【００８８】
図６は、汎用コンピューティング装置６００を使用して実施される関連コンテンツ選択方法の高レベル・ブロック図である。一実施形態において、汎用コンピューティング装置６００は、プロセッサ６０２、メモリ６０４、関連コンテンツ選択モジュール６０５、およびディスプレイ、キーボード、マウス、モデム、ネットワーク接続など様々な入出力（Ｉ／Ｏ）装置６０６を含む。一実施形態において、少なくとも１つのＩ／Ｏ装置は、記憶装置（例えば、ディスク・ドライブ、光ディスク・ドライブ、フロッピー（登録商標）・ディスク・ドライブ）である。関連コンテンツ選択モジュール６０５は、通信チャネルを介してプロセッサに結合される物理的な装置またはサブシステムとして実装できることを理解されたい。
【００８９】
あるいは、関連コンテンツ選択モジュール６０５は、ソフトウェアが記憶媒体（例えばＩ／Ｏ装置６０６）からロードされ、汎用コンピューティング装置６００のメモリ６０４においてプロセッサ６０２によって操作される場合、１つまたは複数のソフトウェア・アプリケーション（または、例えば特定用途向け集積回路（ＡＳＩＣ）を使用してソフトウェアおよびハードウェアの組合せすら）によって表すことができる。さらに、ソフトウェアは、汎用コンピューティング装置６００に似た２つ以上のコンピューティング装置上で分散された、またはパーティションされた形式で稼働することができる。したがって、一実施形態において、前の図を参照して本明細書に記載される映像の関連コンテンツの関連付け、格納、および閲覧のための関連コンテンツ選択モジュール６０５は、コンピュータ可読媒体またはキャリア（例えば、ＲＡＭ、磁気または光学ドライブまたはディスケットなど）に格納することができる。
【００９０】
明示的に指定されていないが、本明細書に記載された方法の１つまたは複数のステップは、特定のアプリケーションの必要に従って、格納、表示、および／または出力ステップを含み得ることに留意されたい。言い換えれば、任意のデータ、レコード、フィールド、および／または本方法に記載される中間結果は、特定のアプリケーションの必要に従って、別の装置に格納され、表示され、および／または出力され得る。さらに、決定操作を列挙するまたは決定を伴う添付の図面におけるステップまたはブロックは、決定操作の分岐の両方を行うことを必ずしも必要としない。言い換えると、決定操作の分岐のうちの１つは、オプションのステップとみなすことができる。
【００９１】
本発明の教示を組み込む様々な実施形態が本明細書に詳細に示され、記載されているが、当業者であれば依然としてこれらの教示を組み込む他の多くの様々な実施形態を容易に導出することができる。
【図１】
2011519080.tif 000003
【図２】
2011519080.tif 000004
【図３】
2011519080.tif 000005
【図４】
2011519080.tif 000006
【図５】
2011519080.tif 000007
【図６】
2011519080.tif 000008
【国際調査報告】
2011519080.tif 000009
2011519080.tif 000010